(57)【要約】【課題】躯体の連結部に介在させたシーリング用弾性シートが経年変化でコンクリート構造物の膨張や収縮に対応できなくなっても、シーリング用弾性シートに取り付けた止水板が確実に漏水を防止することができ、しかもコンクリート構造物への組付けを簡易かつ迅速に施工できるようにしたコンクリート構造物の連結部止水構造を提供しようとするものである。【解決手段】コンクリートの接合部にシーリング用弾性シートを配置するとともに、当該シーリング用弾性シートの両面の長さ方向に沿って奥に向かって幅広となるテーパ状断面のスライド溝を設け、このスライド溝に先端に膨頭部を形成し、基端部に上記スライド溝に係合するスライド部を形成した止水板を、スライド部を上記スライド溝にはめ込むことにより取り付けたことを特徴とするコンクリート構造物の連結部止水構造。【選択図】　　　　　図１
2004124646.tif 000002
【特許請求の範囲】
【請求項１】
コンクリートの接合部にシーリング用弾性シートを配置するとともに、当該シーリング用弾性シートの両面の長さ方向に沿って奥に向かって幅広となるテーパ状断面のスライド溝を設け、このスライド溝に先端に膨頭部を形成し、基端部に上記スライド溝に係合するスライド部を形成した止水板を、スライド部を上記スライド溝にはめ込むことにより取り付けたことを特徴とするコンクリート構造物の連結部止水構造。
【請求項２】
各止水板が、シーリング用弾性シートの両面の相対向する位置に装着可能となっている請求項１に記載のコンクリート構造物の連結部止水構造。
【請求項３】
各止水板が、シーリング用弾性シートの両面の異なる位置に装着可能となっている請求項１に記載のコンクリート構造物の連結部止水構造。
【請求項４】
シーリング用弾性シートが、その側面に連結自在とされていることを特徴とする請求項１に記載のコンクリート構造物の連結部止水構造。
【発明の詳細な説明】
【０００１】
【発明の属する技術分野】この発明は、コンクリート構造物の連結部において発生する漏水を止水するための構造に関し、特に躯体の連結部に介在させたシーリング用弾性シートが経年変化でコンクリート構造物の膨張や収縮に対応できなくなっても、シーリング用弾性シートに取り付けた止水板が確実に漏水を防止することができ、しかもコンクリート構造物への組付けを簡易かつ迅速に施工できるようにしたコンクリート構造物の連結部止水構造に関する。
【０００２】
【従来の技術】コンクリート構造物からの漏水はほとんどの場合に発生し、これまでも各種の止水構造が提案されている。すなわち、コンクリート構造物を所定の間隔で分割し、その連結部に目地材を介在させて夏場のコンクリート構造物の膨張や冬場のコンクリート構造物の収縮を吸収するようにしている。
【０００３】そのような用途に使用される目地材としては、アスファルトを主成分とする瀝青タイプの目地板、アスファルトに繊維質素材を配合した瀝青繊維質目地板、樹脂もしくはゴム発泡体目地板、加熱型ゴムアスファルト注入目地材等が挙げられる。
【０００４】
【発明が解決しようとする課題】しかしながら、上述の各種止水用目地板や止水用目地材においても、長期間の経年変化により止水用目地板や止水用目地材がコンクリート構造物の膨張や収縮に対応できなくなってしまい、一定の期間ごとに目地材を注入すること等によって補修する必要があった。そして、そのような補修をしない場合には、あるいは補修が追いつかない場合には漏水の結果を招いてしまう。
【０００５】この発明は、躯体の連結部に介在させたシーリング用弾性シートが経年変化でコンクリート構造物の膨張や収縮に対応できなくなっても、シーリング用弾性シートに取り付けた止水板が確実に漏水を防止することができ、しかもコンクリート構造物への組付けを簡易かつ迅速に施工できるようにしたコンクリート構造物の連結部止水構造を提供しようとするものである。
【０００６】
【課題を解決するための手段】すなわちこの発明のコンクリート構造物の連結部止水構造は、コンクリートの接合部にシーリング用弾性シートを配置するとともに、当該シーリング用弾性シートの両面の長さ方向に沿って奥に向かって幅広となるテーパ状断面のスライド溝を設け、このスライド溝に先端に膨頭部を形成し、基端部に上記スライド溝に係合するスライド部を形成した止水板を、スライド部を上記スライド溝にはめ込むことにより取り付けたことを特徴とするものである。
【０００７】この発明のコンクリート構造物の連結部止水構造は、上記各止水板を、シーリング用弾性シートの両面の相対向する位置に装着可能としたことをも特徴とするものである。
【０００８】この発明のコンクリート構造物の連結部止水構造は、上記各止水板を、シーリング用弾性シートの両面の異なる位置に装着可能としたことをも特徴とするものである。
【０００９】さらにこの発明のコンクリート構造物の連結部止水構造は、上記シーリング用弾性シートが、その側面に連結自在としたことをも特徴とするものである。
【００１０】この発明は以上のように構成したので、躯体の連結部に介在させたシーリング用弾性シートが経年変化でコンクリート構造物の膨張や収縮に対応できなくなっても、シーリング用弾性シートに取り付けた止水板が確実に漏水を防止することができ、しかもコンクリート構造物への組付けを簡易かつ迅速に施工できるコンクリート構造物の連結部の止水構造を提供することができるようになった。
【００１１】
【発明の実施の形態】以下、この発明によるコンクリート構造物の連結部止水構造を、図１ないし図５にしたがって詳細に説明する。
図面はこの発明のコンクリート構造物の連結部止水構造の実施例を示すもので、図１（ａ）はシーリング用弾性シートの正面図、（ｂ）はその側面図、（ｃ）は止水板を組付けた状態の平面図、図２（ａ）はシーリング用弾性シートの他の例を示す正面図、（ｂ）はその側面図、（ｃ）は止水板を組付けた状態の平面図、図３はその斜視図、図４はコンクリート構造物の連結部止水構造の断面図、図５（ａ）はシーリング用弾性シート同士の連結構造を示す正面図、（ｂ）はその側面図である。
【００１２】図１（ａ）ないし（ｃ）および図２（ａ）ないし（ｃ）において、シーリング用弾性シート１はアスファルトを主成分とする瀝青タイプの目地板、アスファルトに繊維質素材を配合した瀝青繊維質目地板、樹脂もしくはゴム発泡体目地板等の素材を用いてシート状に成形されている。
【００１３】このシーリング用弾性シート１は、押出成形等によって所定幅の長尺材に成形されており、成形時に、あるいは成形硬化後に切削加工等により、その長さ方向に所定の間隔で幅方向に向かうスライド溝２が形成されている。そしてシーリング用弾性シート１は少なくとも両面に一対のスライド溝２を含むように所定長さに切断されて使用される。
【００１４】得たシーリング用弾性シート１における上記スライド溝２は、当該シーリング用弾性シート１の両面の長さ方向に沿って奥に向かって幅広となるテーパ状断面を備えている。そしてこのスライド溝２には、先端に膨頭部４を形成し、基端部に上記スライド溝２に係合するスライド部５を形成した止水板３を、当該スライド部５を上記スライド溝２にはめ込むことにより着脱自在に取り付けられるようになっている。
【００１５】各止水板３は、図１（ａ）ないし（ｃ）の実施例においてはシーリング用弾性シート１の両面の相対向する位置に装着可能となっている。また各止水板３は、図２（ａ）ないし（ｃ）の実施例においてはシーリング用弾性シートの両面の異なる位置に装着可能となっている。
【００１６】なお、各止水板３の素材としては、上記シーリング用弾性シート１はアスファルトを主成分とする瀝青タイプの目地板、アスファルトに繊維質素材を配合した瀝青繊維質目地板、樹脂もしくはゴム発泡体目地板等を利用することができるが、その場合にはシーリング用弾性シート１よりも硬質に形成しておくことが望ましい。上記樹脂の例としては、ポリ塩化ビニール（ＰＶＣ）やポリエチレンやポリプロピレン等のポリオレフィン系樹脂が挙げられる。好適なものとしてはプラス・テク株式会社のポリビンコンパウンド（ＰＶＣ系）がある。
【００１７】また、上記素材に代えて合成樹脂、あるいは硬質ゴム等を上記形状に成形したものを使用することもできる。いずれにしても止水板３は、シーリング用弾性シート１のスライド溝２に簡単にはめ込むことができる剛性や硬度等を備えていることが望ましい。
【００１８】図４は、上記構造のコンクリート構造物の連結部止水構造をコンクリート構造物の連結部１１に適用した場合を示している。すなわち、コンクリート構造物の連結部１１には所定のサイズに切断したシーリング用弾性シート１が介在され、その両面の各スライド溝２にスライド部５をはめ込むことにより、一対の止水板３が相対向する位置に取り付けられている。そして、止水板３はコンクリート構造物の連結部１１において、コンクリート構造物１０の端面から所定の深さまで入り込むように組込まれている。その際、膨頭部４はコンクリート構造物１０内部に係合し、簡単には抜けないようになっている。
【００１９】このようなコンクリート構造物の連結部の施工に際しては、型枠に止水板３を組付けたシーリング用弾性シート１を保持し、その状態でコンクリートを打設すればよい。コンクリートが養生を経てコンクリート構造物１０が成形された状態において、コンクリート構造物の連結部１１にシーリング用弾性シート１が取り付けられ、しかも一対の止水板３がコンクリート構造物１０の端部に取り付けられている。
【００２０】したがって、躯体の連結部に介在させたシーリング用弾性シート１が経年変化でコンクリート構造物１０の膨張や収縮に対応できなくなっても、シーリング用弾性シート１に取り付けた止水板３が確実に漏水を防止することができる。
【００２１】図５は、上記シーリング用弾性シート１を、その側面に何枚でも連結自在とした状態を示している。すなわち、シーリング用弾性シート１の端面にはスライド溝２１と、スライド部２２とが適宜形成されており、それらを互いにはめ込むことにより連結することができる。したがって、コンクリート構造物１０のサイズがどのようなものであっても、簡単かつ迅速にそのサイズの変更に対応することができるのである。
【００２２】上記実施例のコンクリート構造物の連結部止水構造は、田んぼの畦の側溝や道路の路側帯の排水溝ないし側溝、道路や水路の擁壁部分、あるいはその他のコンクリート構造物の連結部に適用することができる。そして、それらに止水効果の非常に高いコンクリート構造物の連結部の止水構造を提供することができる。
【００２３】
【発明の効果】この発明によれば、躯体の連結部に介在させたシーリング用弾性シートが経年変化でコンクリート構造物の膨張や収縮に対応できなくなっても、シーリング用弾性シートに取り付けた止水板が確実に漏水を防止することができ、しかもコンクリート構造物への組付けを簡易かつ迅速に施工できるようにした、高品質のコンクリート構造物の連結部止水構造を提供することができるようになった。
【００２４】また、この発明のコンクリート構造物の連結部止水構造によれば、コンクリート構造物への組込みが容易であり、しかもコンクリート構造物のサイズがどのようなものであっても、簡単かつ迅速にそのサイズの変更に対応することができる。
【図面の簡単な説明】
【図１】（ａ）はシーリング用弾性シートの正面図、（ｂ）はその側面図、（ｃ）は止水板を組付けた状態の平面図である。
【図２】（ａ）はシーリング用弾性シートの他の例を示す正面図、（ｂ）はその側面図、（ｃ）は止水板を組付けた状態の平面図である。
【図３】その斜視図である。
【図４】コンクリート構造物の連結部止水構造の断面図である。
【図５】（ａ）はシーリング用弾性シート同士の連結構造を示す正面図、（ｂ）はその側面図である。
【符号の説明】
１　シーリング用弾性シート
２　スライド溝
３　止水板
４　膨頭部
５　スライド部
１０　コンクリート構造物
１１　コンクリート構造物の連結部
２１　スライド溝
２２　スライド部
【図１】
2004124646.tif 000003
【図２】
2004124646.tif 000004
【図３】
2004124646.tif 000005
【図４】
2004124646.tif 000006
【図５】
2004124646.tif 000007